(57)【要約】【課題】タイヤＴの表面を傷つけることなく、この表面に付着している付着物を除去できる、タイヤＴの洗浄装置２の提供。【解決手段】この洗浄装置２は、タイヤＴを保持する保持部４と、保持部４に保持されたタイヤＴを洗浄する洗浄部６と、を備える。洗浄部６は、タイヤＴの洗浄対象箇所に向けて洗浄媒体を吹き付ける吹き付け手段４０と、タイヤＴの軸方向に前記吹き付け手段４０を移動させる第一移動手段４２と、タイヤＴの径方向に前記吹き付け手段４０を移動させる第二移動手段４４と、を備える。洗浄媒体はスチームである。【選択図】図１
2020096997.tif 000002
【特許請求の範囲】
【請求項１】
タイヤを保持する保持部と、前記保持部に保持されたタイヤを洗浄する洗浄部と、
を備え、
前記洗浄部が、前記タイヤの洗浄対象箇所に向けて洗浄媒体を吹き付ける吹き付け手段と、前記吹き付け手段を前記タイヤの軸方向に移動させる第一移動手段と、当該吹き付け手段を当該タイヤの径方向に移動させる第二移動手段と、を備え、
前記洗浄媒体がスチームである、タイヤの洗浄装置。
【請求項２】
前記保持部が、前記タイヤを回転させる回転手段を備える、請求項１に記載のタイヤの洗浄装置。
【請求項３】
前記洗浄対象箇所が前記タイヤの内周面である、請求項１又は２に記載のタイヤの洗浄装置。
【請求項４】
前記タイヤの中心軸の向きを水平にして、当該タイヤが前記保持部に保持される、請求項１から３のいずれかに記載のタイヤの洗浄装置。
【請求項５】
前記吹き付け手段における前記洗浄媒体の噴射の向きが水平である、請求項１から４のいずれかに記載のタイヤの洗浄装置。
【請求項６】
前記タイヤの内部に溜まった前記洗浄媒体を回収する回収部を備える、請求項１から５のいずれかに記載のタイヤの洗浄装置。
【請求項７】
請求項１から６のいずれかに記載の洗浄装置を用いてタイヤを洗浄する、タイヤの洗浄方法であって、
タイヤを前記洗浄装置の保持部に保持する保持工程と、
前記タイヤの洗浄対象箇所を前記洗浄装置の洗浄部で洗浄する洗浄工程と
を含む、タイヤの洗浄方法。
【発明の詳細な説明】
【技術分野】
【０００１】
本発明は、タイヤの洗浄装置及び洗浄方法に関する。
【背景技術】
【０００２】
静粛性を向上させるためにタイヤの内周面に制音具を設けた、制音具付きタイヤが知られている。この制音具付きタイヤは、未架橋状態のタイヤ（以下、生タイヤとも称される。）の加硫成形物であるタイヤの内周面に、制音具として、例えば、スポンジを貼り付けることにより得られる。
【０００３】
タイヤの製造では、モールド内で生タイヤはその内側から、例えばブラダーによりモールドのキャビティ面に向かって押し付けられる。加硫成形の完了後、タイヤはモールドから取り出される。
【０００４】
タイヤの製造では、モールドからタイヤを容易に取り出すために、タイヤの外周面を形づけるキャビティ面、そしてタイヤの内周面を形づけるブラダーの表面に、離型剤が塗布される。このため、モールドから取り出されたタイヤの表面には離型剤が付着する。
【０００５】
例えば、タイヤの内周面に付着した離型剤は、前述のスポンジの貼り付けを阻害する。このため、制音具付きタイヤを安定に製造するためには、タイヤの内周面から離型剤を除去する必要があり、離型剤除去のための装置、方法等について様々な検討が行われている（例えば、特許文献１）。
【０００６】
前述の特許文献１では、タイヤの内周面を研掃するための研掃装置が提案されている。この研掃装置では、タイヤの内周面にブラシを押し付け、内周面が研掃される。
【先行技術文献】
【特許文献】
【０００７】
【特許文献１】特開２０１７−０１９２３４号公報
【発明の概要】
【発明が解決しようとする課題】
【０００８】
ブラシによる研掃では、タイヤの表面にブラシが直接当てられる。このため、ブラシが表面を押し付ける力、ブラシの材質、ブラシを構成するフィラメントの太さ等によっては、タイヤの表面を傷つけることが懸念される。タイヤの表面を傷つけることなく、離型剤をはじめとするタイヤの表面に付着している付着物を除去できる技術の確立が求められている。
【０００９】
本発明は、このような実状に鑑みてなされたものであり、タイヤの表面を傷つけることなく、この表面に付着している付着物を除去できる、タイヤの洗浄装置及び洗浄方法を提供することを目的としている。
【課題を解決するための手段】
【００１０】
本発明に係るタイヤの洗浄装置は、タイヤを保持する保持部と、前記保持部に保持されたタイヤを洗浄する洗浄部と、を備える。前記洗浄部は、前記タイヤの洗浄対象箇所に向けて洗浄媒体を吹き付ける吹き付け手段と、前記吹き付け手段を前記タイヤの軸方向に移動させる第一移動手段と、当該吹き付け手段を当該タイヤの径方向に移動させる第二移動手段と、を備える。前記洗浄媒体はスチームである。
【００１１】
好ましくは、このタイヤの洗浄装置では、前記保持部は、前記タイヤを回転させる回転手段を備える。
【００１２】
好ましくは、このタイヤの洗浄装置では、前記洗浄対象箇所は前記タイヤの内周面である。
【００１３】
好ましくは、このタイヤの洗浄装置では、前記タイヤの中心軸の向きを水平にして、当該タイヤは前記保持部に保持される。
【００１４】
好ましくは、このタイヤの洗浄装置では、前記吹き付け手段における前記洗浄媒体の噴射の向きは水平である。
【００１５】
好ましくは、このタイヤの洗浄装置は、前記タイヤの内部に溜まった前記洗浄媒体を回収する回収部を備える。
【００１６】
本発明に係るタイヤの洗浄方法は、前述の洗浄装置を用いてタイヤを洗浄する、タイヤの洗浄方法である。この洗浄方法は、
（１）タイヤを前記洗浄装置の保持部に保持する保持工程と、
（２）前記タイヤの洗浄対象箇所を前記洗浄装置の洗浄部で洗浄する洗浄工程と
を含む。
【発明の効果】
【００１７】
本発明のタイヤの洗浄装置では、洗浄媒体としてスチームが用いられる。このタイヤの洗浄装置は、タイヤの表面を傷つけることなく、この表面に付着している付着物を除去することができる。この洗浄装置を用いる、このタイヤの洗浄方法においても、タイヤの表面を傷つけることなく、この表面に付着している付着物が除去される。本発明によれば、タイヤの表面を傷つけることなく、この表面に付着している付着物を除去することができる、タイヤの洗浄装置及び洗浄方法が得られる。
【図面の簡単な説明】
【００１８】
【図１】図１は、本発明の一実施形態に係るタイヤの洗浄装置の大要が示された正面図である。
【図２】図２は、図１のタイヤの洗浄装置の側面図である。
【発明を実施するための形態】
【００１９】
以下、適宜図面が参照されつつ、好ましい実施形態に基づいて、本発明が詳細に説明される。
【００２０】
図１は、本発明の一実施形態に係る洗浄装置２（以下、単に、装置２と称することがある。）の大要を示す。この装置２は、タイヤＴの表面を洗浄するために用いられる、タイヤＴの洗浄装置２である。一点鎖線ＡＬは、このタイヤＴの中心軸（回転軸とも称される。）である。
【００２１】
本発明において、タイヤＴの表面は、モールドのキャビティ面によって形づけられるタイヤＴの外周面、そして、ブラダー又は剛体コアによって形づけられるタイヤＴの内周面を含む概念である。
【００２２】
図１において、左右方向は装置２の幅方向であり、この装置２に装着されるタイヤＴの軸方向に相当する。上下方向は、鉛直方向であり、タイヤＴの径方向に相当する。さらに紙面に対して垂直方向はこの装置２の前後方向であり、この紙面の表側がこの装置２の前側に相当する。
【００２３】
図２は、図１に示された装置２を左側から見た、この装置２の側面図を示す。この図２において、左右方向はこの装置２の前後方向であり、右側が前側に相当する。上下方向は、鉛直方向であり、タイヤＴの径方向に相当する。この紙面に対して垂直な方向は、この装置２の幅方向であり、タイヤＴの軸方向に相当する。
【００２４】
この洗浄装置２は、保持部４と、洗浄部６と、制御部８とを備える。
【００２５】
保持部４は、タイヤＴを保持する。タイヤＴは、その軸方向がこの装置２の幅方向と一致するようにこの保持部４にセットされる。
【００２６】
この保持部４は、タイヤＴが載置される載置手段１０と、タイヤＴを側面から支持する支持手段１２と、タイヤＴを固定する固定手段１４とを備える。
【００２７】
載置手段１０は、一対の載置ローラ１６を備える。これら載置ローラ１６は、この装置２の本体フレーム１８に回転可能に支持される。この装置２では、それぞれの載置ローラ１６はこの装置２の前後方向に間隔をあけて配置される。これら二本の載置ローラ１６に、タイヤＴは載置される。前後方向において、前側載置ローラ１６の中心軸２０と後側載置ローラ１６の中心軸２０との間に、タイヤＴの中心軸ＡＬが位置するように、このタイヤＴは載置手段１０に載置される。
【００２８】
図示されないが、この載置手段１０では、二本の載置ローラ１６のうちいずれか一方の載置ローラ１６がモーターの回転軸に連結される。この装置２では、モーターを駆動することにより載置ローラ１６が回転し、タイヤＴが回転する。この載置手段１０は、タイヤＴが載置され、このタイヤＴを回転させる回転手段２２でもある。この装置２の保持部４は、タイヤＴを、その中心軸ＡＬを中心に回転させる回転手段２２を備える。
【００２９】
支持手段１２は、一対の支持体２４と、複数の案内ローラ２６と、複数の支持体ガイド２８とを備える。
【００３０】
それぞれの支持体２４は、矩形状の枠からなる。これら支持体２４は、幅方向に間隔をあけて配置される。この装置２では、左右の支持体２４の間にタイヤＴはセットされる。
【００３１】
案内ローラ２６は、幅方向において支持体２４の内側（すなわち、タイヤＴ側）に取り付けられる。この装置２では、それぞれの支持体２４に４つの案内ローラ２６が設けられる。これら案内ローラ２６は、この装置２にセットされるタイヤＴの周方向に間隔をあけて配置される。
【００３２】
案内ローラ２６は、回転可能に支持体２４に支持される。この装置２では、案内ローラ２６は、その中心軸３０がタイヤＴの径方向に沿うようにこの支持体２４に取り付けられる。この装置２では、案内ローラ２６はタイヤＴの側面に当接し、タイヤＴが回転するとこの案内ローラ２６も回転するように、この支持手段１２は構成されている。
【００３３】
それぞれの支持体ガイド２８は、装置２の幅方向に延びる。支持体ガイド２８は、この装置２の本体フレーム１８の上側及び下側のそれぞれにおいてこの本体フレーム１８に取り付けられる。支持体ガイド２８は、前述の支持体２４を装置２の幅方向に移動可能に支持する。支持体ガイド２８に沿って支持体２４が幅方向内向きに移動することにより、左右の支持体２４の間隔が狭められる。支持体ガイド２８に沿って支持体２４が幅方向外向きに移動することにより、左右の支持体２４の間隔が広げられる。
【００３４】
固定手段１４は、アクチュエータ３２と、押さえローラ３４とを備える。アクチュエータ３２は、この装置２の本体フレーム１８の上側に取り付けられる。このアクチュエータ３２は、上下に移動可能なロッド３６を備える。押さえローラ３４は、回転可能であり、その中心軸３８がタイヤＴの軸方向に沿うようにロッド３６の先端に取り付けられる。図１又は図２に示されるように、この固定手段１４は、押さえローラ３４がこの装置２にセットされたタイヤＴの最上端と当接するようにこの装置２の本体フレーム１８にセットされる。この装置２では、押さえローラ３４が上側からタイヤＴのトレッド面に当接し、タイヤＴが回転するとこの押さえローラ３４も回転するように、この固定手段１４は構成されている。
【００３５】
この装置２では、載置手段１０に載置されたタイヤＴは、その側面において支持手段１２によって支持されるとともに、上側から固定手段１４によって押さえられる。さらにタイヤＴは、載置手段１０、言い換えれば回転手段２２によって中心軸ＡＬを中心に回転させられる。保持部４においてタイヤＴを回転させながらこのタイヤＴを保持できるように、この装置２は構成されている。
【００３６】
洗浄部６は、保持部４に保持されたタイヤＴの表面を洗浄する。この洗浄部６は、洗浄媒体の吹き付け手段４０と、吹き付け手段４０を装置２の幅方向、すなわち、タイヤＴの軸方向に移動させる第一移動手段４２と、この吹き付け手段４０を装置２の上下方向、すなわち、このタイヤＴの径方向に移動させる第二移動手段４４とを備える。
【００３７】
吹き付け手段４０は、タイヤＴの洗浄対象箇所に向けて洗浄媒体を噴射する。タイヤＴの内周面に制音具を設けた、制音具付きタイヤＴの製造では、タイヤＴの内周面に付着した離型剤が除去される。したがって、制音具付きタイヤＴの製造に供給されるタイヤＴをこの装置２で洗浄する場合、このタイヤＴの内周面が洗浄対象箇所とされ、吹き付け手段４０はタイヤＴの内周面に向けて洗浄媒体を噴射する。
【００３８】
この吹き付け手段４０は、本体４６と、パイプ４８と、ノズル５０とを備える。この吹き付け手段４０の洗浄媒体は、スチームである。この吹き付け手段４０では、本体４６において水を加熱しスチームが発生させられる。そして発生したスチームがパイプ４８を経由してノズル５０から噴射される。この本体４６は、水を収容するタンクと、この水を加熱する加熱装置と、スチームの圧力を調整してこのスチームを噴射する噴射装置とを有する。
【００３９】
この装置２では、吹き付け手段４０としては、水を加熱することで発生させたスチームがパイプ４８を経由してノズル５０に運ばれ、このスチームがノズル５０から噴射されるように構成されていれば、この吹き付け手段４０に、特に、制限はない。このような吹き付け手段４０としては、例えば、ケルヒャー社製の商品名「スチームクリーナー  ＳＧＶ８／５」が挙げられる。
【００４０】
この装置２では、スチームの温度は１００℃以上２００℃以下の範囲で設定される。このスチームの圧力は、０．１ＭＰａ以上１．６ＭＰａ以下の範囲で設定される。スチームの噴射量は、０．０１ｍ３／ｍｉｎ以上０．１５ｍ３／ｍｉｎ以下の範囲で設定される。
【００４１】
第一移動手段４２は、第一案内テーブル５２と、第一移動テーブル５４とを備える。この第一移動手段４２は、第一案内テーブル５２に対して第一移動テーブル５４が移動するように構成されている。この第一移動手段４２では、第一移動テーブル５４が第一案内テーブル５２に対してこの装置２の幅方向に移動可能である。前述したように、この装置２の保持部４に、タイヤＴは、その軸方向がこの装置２の幅方向と一致するようにセットされる。したがって、この第一移動手段４２では、第一移動テーブル５４の移動方向はタイヤＴの軸方向に一致する。
【００４２】
この装置２では、第一移動手段４２の第一移動テーブル５４に、前述の吹き付け手段４０がセットされる。したがって、この装置２では、第一移動手段４２は吹き付け手段４０をタイヤＴの軸方向に移動させる。この装置２では、第一移動手段４２により、吹き付け手段４０のノズル５０の軸方向位置が調整される。
【００４３】
第二移動手段４４は、第二案内テーブル５６と、第二移動テーブル５８とを備える。この第二移動手段４４は、第二案内テーブル５６に対して第二移動テーブル５８が移動するように構成されている。この第二移動手段４４では、第二移動テーブル５８が第二案内テーブル５６に対してこの装置２の上下方向に移動可能である。前述したように、この装置２の保持部４に、タイヤＴは、その軸方向がこの装置２の幅方向と一致するようにセットされる。したがって、この第二移動手段４４では、第二移動テーブル５８の移動方向はタイヤＴの径方向に一致する。
【００４４】
この装置２では、第二移動手段４４の第二移動テーブル５８に、前述の第一移動手段４２がセットされる。前述したように、第一移動手段４２には吹き付け手段４０がセットされる。したがって、この第二移動手段４４は、吹き付け手段４０をタイヤＴの径方向に移動させる。この装置２では、第二移動手段４４により、吹き付け手段４０のノズル５０の径方向位置が調整される。
【００４５】
制御部８は、マイクロコンピュータ等により構成され、ＣＰＵ等の演算部を備える。この制御部８は、マイクロコンピュータに入力された、この装置２の動作設定に基づいて、保持部４及び洗浄部６を制御する。この装置２が後述する回収部を備える場合には、この制御部８は、マイクロコンピュータに入力された、この装置２の動作設定に基づいて、この回収部も制御する。
【００４６】
以下に、この装置２によるタイヤＴの洗浄方法について説明する。この洗浄方法では、タイヤＴが装置２の保持部４に保持され、この装置２の洗浄部６によりタイヤＴの洗浄対象箇所が洗浄される。つまり、このタイヤＴの洗浄方法は、タイヤＴを保持部４に保持する保持工程、及び、このタイヤＴの洗浄対象箇所を洗浄部６で洗浄する洗浄工程を含む。
【００４７】
保持工程では、タイヤＴは、載置手段１０の載置ローラ１６に載置される。タイヤＴは、トレッド面において、この載置ローラ１６と接触する。支持手段１２の支持体２４を装置２の幅方向内側に移動させ、案内ローラ２６がタイヤＴの側面に当接される。これにより、左右の支持体２４でこのタイヤＴが側面から支持される。固定手段１４の押さえローラ３４を下降させ、押さえローラ３４がタイヤＴの上側からこのタイヤＴのトレッド面に当接される。これにより、タイヤＴが保持部４に保持される。
【００４８】
このタイヤＴの洗浄方法では、タイヤＴの保持部４への保持が完了すると、洗浄工程が開始される。この洗浄工程では、タイヤＴの洗浄対象箇所に向けて洗浄媒体を噴射できる位置に、洗浄部６のノズル５０が配置される。このとき、前述したように、このノズル５０の軸方向位置は第一移動手段４２によって調整される。このノズル５０の径方向位置は、第二移動手段４４によって調整される。
【００４９】
この洗浄工程では、ノズル５０の配置が完了すると、吹き付け手段４０が駆動されこの吹き付け手段４０のノズル５０から洗浄媒体がタイヤＴの洗浄対象箇所に向けて吹き付けられる。第一移動手段４２及び／又は第二移動手段４４によってノズル５０の位置を適宜移動させながら、洗浄対象箇所全体の洗浄が完了するまでこの洗浄媒体の噴射が継続される。洗浄対象箇所の洗浄が完了すると、洗浄媒体の噴射が停止され、タイヤＴが保持部４から取り出される。そして次のタイヤＴの洗浄が開始される。
【００５０】
本発明の洗浄装置２では、ノズル５０はタイヤＴの洗浄対象箇所から離されて配置され、このノズル５０からこの洗浄対象箇所に向けて洗浄媒体が吹き付けられる。この装置２では、洗浄対象箇所にノズル５０は接触しない。しかもこの装置２では、洗浄媒体としてスチームが洗浄対象箇所に吹き付けられる。この装置２は、タイヤＴの表面を傷つけることなく、この表面に付着している付着物を除去することができる。特に、この装置２を用いてタイヤＴの内周面を洗浄した場合、この装置２は、このタイヤＴの内周面を構成するインナーライナーを削り取ることなく、この内周面に付着した離型剤を除去することができる。
【００５１】
この洗浄装置２では、載置手段１０、言い換えれば、回転手段２２の載置ローラ１６を回転させて、タイヤＴが回転させられる。この装置２は、タイヤＴを回転させながら、タイヤＴを洗浄できる。したがって、所定の位置にノズル５０をセットした後、タイヤＴを回転させるだけで、この装置２は周方向に沿ってこのタイヤＴを洗浄することができる。洗浄対象箇所がタイヤＴの外周面又は内周面である場合には、所定の位置にノズル５０をセットし、タイヤＴを回転させながらこのノズル５０をタイヤＴの軸方向に移動させるだけで、この装置２はこのタイヤＴの外周面又は内周面に洗浄媒体を効果的に吹き付けることができる。この装置２は、タイヤＴの外周面又は内周面を傷つけることなく、この外周面又は内周面に付着している付着物を効率よく除去できる。この観点から、この装置２の保持部４は、タイヤＴを回転させる回転手段２２を備えるのが好ましい。
【００５２】
この装置２では、タイヤＴの中心軸ＡＬの向きを水平にして、このタイヤＴは保持部４に保持される。この装置２では、タイヤＴを横にした状態ではなくこのタイヤＴを立てた状態で、タイヤＴは保持部４に保持される。このため、例えば、洗浄対象箇所がタイヤＴの内周面である場合、この装置２は、ノズル５０から内周面に向けて吹き付けた洗浄媒体をこのタイヤＴの内部に溜めることができる。この装置２では、ノズル５０から噴出させた洗浄媒体の回収が容易である。しかも洗浄媒体の回収は、洗浄媒体による環境への影響を抑えるとともに、付着物の除去に使用する洗浄媒体の使用量の低減に寄与する。この観点から、この装置２では、タイヤＴの中心軸ＡＬの向きを水平にして、このタイヤＴは保持部４に保持されるのが好ましい。特に、洗浄対象箇所がタイヤＴの内周面である場合に、タイヤＴの中心軸ＡＬの向きを水平にして、このタイヤＴが保持部４に保持されるのが好ましい。
【００５３】
図２に示されるように、この装置２では、噴出手段のノズル５０の向き、すなわち、吹き付け手段４０における洗浄媒体の噴射の向きは、水平である。このため、ノズル５０から噴射される洗浄媒体の向きはこの洗浄媒体の自重の影響を受ける場合がある。この場合、洗浄対象箇所に当たる際の洗浄媒体の向きがこの洗浄対象箇所に対して傾くため、この洗浄対象箇所にある付着物が効果的に除去される。この観点から、この装置２では、吹き付け手段４０における洗浄媒体の噴射の向きは、水平であるのが好ましい。この場合、付着物がより効果的に除去される観点から、ノズル５０の先にある洗浄対象箇所が下から上へ移動するように、このタイヤＴは回転させられるのがより好ましい。
【００５４】
前述したように、この装置２では、タイヤＴの中心軸ＡＬの向きを水平にして、このタイヤＴを保持部４に保持し、タイヤＴの内周面に洗浄媒体を吹き付ける場合、この装置２は、ノズル５０から内周面に向けて吹き付けた洗浄媒体を、このタイヤＴの内部に溜めることができる。
【００５５】
この装置２は、タイヤＴの内部に溜まった洗浄媒体を回収する回収部６０を備える。この回収部６０は、本体６２と、パイプ６４と、ノズル６６とを備える。この回収部６０は、本体６２によって、ノズル６６からパイプ６４を経由して洗浄媒体を吸引して回収できるように構成されている。この装置２は回収部６０を有することにより、タイヤＴの内部に溜まった洗浄媒体を回収できる。洗浄媒体の回収は、洗浄媒体による環境への影響を抑えるとともに、付着物の除去に使用する洗浄媒体の使用量の低減に寄与する。この観点から、この装置２は、タイヤＴの内部に溜まった洗浄媒体を回収する回収部６０を備えるのが好ましい。
【００５６】
この装置２では、回収部６０としては、タイヤＴの内部に溜まった洗浄媒体を回収できるのであれば、その構成に特に制限はない。例えば、市販の吸引式の排水装置を回収部６０として用いることができる。
【００５７】
この装置２では、回収部６０で回収した洗浄媒体は吹き付け手段４０のタンクに供給される。これにより、回収した洗浄媒体が容易に再利用される。この洗浄媒体の再利用は、洗浄媒体による環境への影響を抑えるとともに、付着物の除去に使用する洗浄媒体の使用量の低減に寄与する。この観点から、この装置２がタイヤＴの内部に溜まった洗浄媒体を回収する回収部６０を備える場合は、回収部６０で回収した洗浄媒体は吹き付け手段４０に供給され再利用されるのがより好ましい。
【００５８】
この装置２は、タイヤＴのビード間の距離を拡げる、拡張手段をさらに備えることができる。この場合、吹き付け手段４０のノズル５０を広範囲に動かすことができるので、タイヤＴの内周面の洗浄範囲が広まる。特に、洗浄が困難な、タイヤＴのショルダーに対応する部分について、この装置２は容易にかつ十分に洗浄できる。
【００５９】
以上説明したように、この洗浄装置２は、タイヤＴの表面を傷つけることなく、この表面に付着している付着物を除去することができる。したがって、この装置２を用いる、このタイヤＴの洗浄方法においても、タイヤＴの表面を傷つけることなく、この表面に付着している付着物が除去される。本発明によれば、タイヤＴの表面を傷つけることなく、この表面に付着している付着物を除去することができる、タイヤＴの洗浄装置２及び洗浄方法が得られる。
【００６０】
今回開示した実施形態はすべての点で例示であって制限的なものではない。本発明の技術的範囲は前述の実施形態に限定されるものではなく、この技術的範囲には特許請求の範囲に記載された構成と均等の範囲内でのすべての変更が含まれる。
【産業上の利用可能性】
【００６１】
以上説明されたタイヤの洗浄に関する技術は、種々のタイヤに適用できる。
【符号の説明】
【００６２】
２・・・洗浄装置
４・・・保持部
６・・・洗浄部
１０・・・載置手段
１２・・・支持手段
１４・・・固定手段
１６・・・載置ローラ
２２・・・回転手段
４０・・・吹き付け手段
４２・・・第一移動手段
４４・・・第二移動手段
５０・・・吹き付け手段４０のノズル
６０・・・回収部
６６・・・回収部６０のノズル
【図１】
2020096997.tif 000003
【図２】
2020096997.tif 000004